(57)【要約】【課題】  加熱ローラの温度を定着に必要な温度に安定して維持することができ、しかも当該装置への入力電圧の変動を解消することができる定着装置および画像形成装置を提供する。【解決手段】  加熱ローラ２の温度Ｔがサーミスタ１０で検知され、その検知温度Ｔの単位時間ｔ当たりの変化量（ΔＴ／Δｔ）が検出される。そして、コイル４の出力が、サーミスタ１０の検知温度Ｔが予め定められている設定範囲“Ｔｂ≧Ｔ＞Ｔｃ”に収まるように、かつ上記検出された温度変化量（ΔＴ／Δｔ）に対応する量だけ、増減される。【選択図】      図３
2005266807.tif 000002
【特許請求の範囲】
【請求項１】
加熱部材と、
前記加熱部材に誘導加熱用の磁界を与えるコイルと、
前記加熱部材の温度を検知する温度検知器と、
前記温度検知器で検知される温度の単位時間当たりの変化量を検出する検出部と、
前記コイルの出力を、前記温度検知器の検知温度が予め定められている設定範囲に収まるように、かつ前記検出部の検出結果に対応する量だけ、増減する出力制御部と、
を備えていることを特徴とする定着装置。
【請求項２】
前記単位時間は、前記加熱部材の熱容量の大きさに比例した値であることを特徴とする請求項１に記載の定着装置。
【請求項３】
前記加熱部材に加圧状態で接しながらその加熱部材との間に被定着用のペーパーシートを挟んで搬送する加圧部材、をさらに備えていることを特徴とする請求項１に記載の定着装置。
【請求項４】
加熱部材と、
前記加熱部材の近くに設けられた誘導加熱用のコイルと、
前記コイルを構成要素とする共振回路と、
前記共振回路を励起するためのスイッチング素子と、
前記スイッチング素子をオン，オフ駆動するためのオン，オフ信号を出力する発振器と、
前記加熱部材の温度を検知する温度検知器と、
前記温度検知器で検知される温度の単位時間当たりの変化量を検出する検出部と、
前記発振器から出力されるオン，オフ信号のデューティを、前記温度検知器の検知温度が予め定められている設定範囲に収まるように、かつ前記検出部の検出結果に対応する値だけ、増減する出力制御部と、
を備えていることを特徴とする定着装置。
【請求項５】
前記単位時間は、前記加熱部材の熱容量の大きさに比例した値であることを特徴とする請求項４に記載の定着装置。
【請求項６】
前記加熱部材に加圧状態で接しながらその加熱部材との間に被定着用のペーパーシートを挟んで搬送する加圧部材、をさらに備えていることを特徴とする請求項４に記載の定着装置。
【請求項７】
加熱部材と、
前記加熱体に誘導加熱用の磁界を与えるコイルと、
前記加熱体の温度を検知する温度検知器と、
前記温度検知器で検知される温度の単位時間当たりの変化量を検出する検出部と、
前記コイルの出力を、前記温度検知器の検知温度が予め定められている設定範囲に収まるように、かつ前記検出部の検出結果に対応する量だけ、増減する出力制御部と、
を備えていることを特徴とする画像形成装置。
【請求項８】
前記単位時間は、前記加熱部材の熱容量の大きさに比例した値であることを特徴とする請求項７に記載の画像形成装置。
【請求項９】
前記加熱部材に加圧状態で接しながらその加熱部材との間に被定着用のペーパーシートを挟んで搬送する加圧部材、をさらに備えていることを特徴とする請求項７に記載の画像形成装置。
【発明の詳細な説明】
【技術分野】
【０００１】
この発明は、ペーパーシート上の現像剤像を定着させる定着装置および画像形成装置に関する。
【背景技術】
【０００２】
電子写真方式に用いられる定着装置の熱源として、誘導加熱方式を用いたものが実用化されている。この誘導加熱では、誘導加熱用のコイルに高周波電流を流してコイルから高周波磁界を発生させ、その高周波磁界によって加熱体である加熱ローラに渦電流を生じさせ、その渦電流によるジュール熱で加熱ローラを自己発熱させる。
【０００３】
このような誘導加熱を利用した定着装置は、加熱ローラの温度を温度検知器たとえばサーミスタで検知する。この温度検知器の検知温度に応じて上記コイルの出力がオン，オフされて、加熱ローラが定着に必要な温度に保たれる。
【発明の開示】
【発明が解決しようとする課題】
【０００４】
しかしながら、コイルの出力がオン，オフされるのに伴い、加熱ローラの温度が波状に変動して安定性が悪いという問題がある。
【０００５】
また、コイルの出力がオン，オフされるのに伴い、電源から定着装置への入力電圧に変動が生じてしまう。この場合、同じ電源を使用している他の機器たとえば照明器具の点灯光に“ちらつき”が発生することがある。
【０００６】
この発明は上記の事情を考慮したもので、加熱ローラの温度を定着に必要な温度に安定して維持することができ、しかも当該装置への入力電圧の変動を解消することができる定着装置および画像形成装置を提供することを目的とする。
【課題を解決するための手段】
【０００７】
請求項１に係る発明の定着装置は、加熱部材と、この加熱部材に誘導加熱用の磁界を与えるコイルと、上記加熱部材の温度を検知する温度検知器と、この温度検知器で検知される温度の単位時間当たりの変化量を検出する検出部と、上記コイルの出力を、上記温度検知器の検知温度が予め定められている設定範囲に収まるように、かつ上記検出部の検出結果に対応する量だけ、増減する出力制御部と、を備えている。
【０００８】
請求項４に係る発明の定着装置は、加熱部材と、この加熱部材の近くに設けられた誘導加熱用のコイルと、このコイルを構成要素とする共振回路と、この共振回路を励起するためのスイッチング素子と、このスイッチング素子をオン，オフ駆動するためのオン，オフ信号を出力する発振器と、上記加熱部材の温度を検知する温度検知器と、この温度検知器で検知される温度の単位時間当たりの変化量を検出する検出部と、上記発振器から出力されるオン，オフ信号のデューティを、上記温度検知器の検知温度が予め定められている設定範囲に収まるように、かつ上記検出部の検出結果に対応する値だけ、増減する出力制御部と、を備えている。
【０００９】
請求項７に係る発明の画像形成装置は、加熱部材と、この加熱体に誘導加熱用の磁界を与えるコイルと、上記加熱体の温度を検知する温度検知器と、この温度検知器で検知される温度の単位時間当たりの変化量を検出する検出部と、上記コイルの出力を、上記温度検知器の検知温度が予め定められている設定範囲に収まるように、かつ上記検出部の検出結果に対応する量だけ、増減する出力制御部と、を備えている。
【発明の効果】
【００１０】
この発明によれば、加熱ローラの温度を定着に必要な温度に安定して維持することができ、しかも当該装置への入力電圧の変動を解消することができる定着装置および画像形成装置を提供できる。
【発明を実施するための最良の形態】
【００１１】
以下、この発明の一実施形態について図面を参照して説明する。  
図１に示すように、定着装置１は、加熱ローラ（加熱部材）２と、この加熱ローラ２に加圧状態で接しながらその加熱ローラ２と共に回転する加圧ローラ（加圧部材）３とを備え、この両ローラ２，３間に被定着用のペーパーシート２０を挟み込んでそのペーパーシート２０を搬送する。
【００１２】
加熱ローラ２は、導電性材料たとえば鉄を筒状に成形し、その鉄の外周面にテフロン（登録商標）等を被覆したもので、図示右方向に回転駆動される。加圧ローラ３は、加熱ローラ２の回転を受けて図示左方向に回転する。この加熱ローラ２と加圧ローラ３との接触部をペーパーシート２０が通過し、かつペーパーシート２０が加熱ローラ２から熱を受けることにより、ペーパーシート２０上の現像剤像２１がペーパーシート２０に定着される。
【００１３】
加熱ローラ２の内部空間に、誘導加熱用のコイル４が収容されている。このコイル４は、コア５に巻回および保持され、誘導加熱用の高周波磁界を発する。この高周波磁界が発せられることにより、加熱ローラ２に渦電流が生じ、その渦電流によるジュール熱で加熱ローラ２が自己発熱する。
【００１４】
加熱ローラ２の周囲に、ペーパーシート２０を加熱ローラ２から剥離するための剥離爪６、加熱ローラ２上に残るトナーおよび紙屑等を除去するためのクリーニング部材７、加熱ローラ２の表面に離型剤を塗布するための塗布ローラ８、および加熱ローラ２の温度Ｔを検知する温度検知器たとえばサーミスタ１０が配設されている。
【００１５】
この発明に関わる画像形成装置の制御回路を図２に示している。  
メインコントローラ３０に、コントロールパネルコントローラ３１、スキャンコントローラ３２、およびプリントコントローラ４０が接続されている。メインコントローラ３０は、コントロールパネルコントローラ３１、スキャンコントローラ３２、およびプリントコントローラ４０を統括的に制御する。
【００１６】
スキャンコントローラ３２に、原稿読取用のスキャンユニット３３が接続されている。プリントコントローラ４０に、制御プログラム記憶用のＲＯＭ４１、データ記憶用のＲＡＭ４２、プリントエンジン４３、ペーパーシート搬送ユニット４４、プロセスユニット４５、上記定着装置１が接続されている。プリントエンジン４３は、上記レーザ光の駆動系などにより構成されている。ペーパーシート搬送ユニット４４は、ペーパーシートＰの搬送機構およびその駆動回路などにより構成されている。プロセスユニット４５は、感光体ドラムおよびその周辺部などにより構成されている。
【００１７】
定着装置１の電気回路を図３に示している。  
上記プリントコントローラ４０に、上記サーミスタ１０、駆動ユニット５０、およびコントローラ８０が接続されている。駆動ユニット５０は、加熱ローラ１２を回転駆動する。
【００１８】
プリントコントローラ４０は、駆動ユニット５０を制御するとともに、コイル４を構成要素とする後述の共振回路の駆動を温度センサ１０の検知温度Ｔに応じて制御する。
【００１９】
加熱ローラ２内のコイル４に、高周波発生回路６０が接続されている。高周波発生回路６０は、高周波磁界発生用の高周波電力を発生するもので、商用交流電源７０の交流電圧を整流する整流回路６１、この整流回路６１の出力端に接続されてコイル４と共に共振回路を形成するコンデンサ６２、このコンデンサ６２に並列接続されて上記共振回路を励起するスイッチング素子たとえばトランジスタ（ＦＥＴ）６３、このトランジスタ６３に接続された逆起電力防止用のダンパダイオード６４を備えている。
【００２０】
上記トランジスタ６３のベース・エミッタ間に、上記コントローラ８０の発振器８１が接続されている。発振器８１は、トランジスタ６１をオン，オフ駆動するためのオン，オフ信号を出力する。このオン，オフ信号の周波数は、共振回路の共振周波数と同じである。
【００２１】
コントローラ８０は、発振器８１のほかに、ＣＰＵ８２を有する。ＣＰＵ８２は、プリントコントローラ４０からの指令に応じて、発振器８１から出力されるオン，オフ信号のデューティＤを制御する。以下、オン，オフ信号のデューティＤのことを、トランジスタ６３のオン，オフデューティＤという。
【００２２】
また、プリントコントローラ４０は、検出部および出力制御部を備えている。
【００２３】
検出部は、サーミスタ１０で検知される温度Ｔの単位時間ｔ当たりの変化量（ΔＴ／Δｔ）を検出する。単位時間ｔは、加熱ローラ２の熱容量の大きさに比例した値であり、たとえば１秒ないし２秒の範囲で設定される。加熱ローラ２の熱容量は、加熱ローラ２を形成している筒形状の導電性材料（たとえば鉄）の肉厚に対応する。
【００２４】
出力制御部は、画像形成装置のレディ時およびプリント時に、コイル４の出力を、サーミスタ１０の検知温度Ｔが予め定められている設定範囲に収まるように、かつ上記検出部で検出される温度変化量（ΔＴ／Δｔ）に対応する量だけ、増減する。
【００２５】
つぎに、作用について説明する。  
画像形成装置のウォームアップ時、トランジスタ６３のオン，オフデューティＤが大きく設定される。これにより、図４に示すように、コイル４の出力Ｐが最大の１３００Ｗに設定されて、加熱ローラ２の温度Ｔが急速に上昇する。
【００２６】
加熱ローラ２の温度Ｔがサーミスタ１０で検知され、その検知温度Ｔが設定値たとえば２００℃に達すると、ウォームアップが終了して、図５、図６、図７に示す制御が実行される。
【００２７】
まず、サーミスタ１０で検知される温度Ｔの単位時間ｔ当たりの変化量（ΔＴ／Δｔ）が検出される（ステップ１０１）。そして、サーミスタ１０の検知温度Ｔと予め定められている設定値Ｔａ，Ｔｂ，Ｔｃ，Ｔｄとが比較される（ステップ１０２，１０３，１０４，１０５）。設定値Ｔａ，Ｔｂ，Ｔｃ，Ｔｄには、Ｔａ＞Ｔｂ＞Ｔｃ＞Ｔｄの関係がある。
【００２８】
（１）検知温度Ｔが高くて、“Ｔ＞Ｔａ”の条件では（ステップ１０２のＹＥＳ）、トランジスタ６３のオン，オフデューティＤがΔＤｘだけ減らされて、コイル４の出力ＰがΔＰｘだけ減少される（ステップ１０６）。この出力減少により、加熱ローラ２の温度が下降方向に変化する。
【００２９】
（２）検知温度Ｔが“Ｔａ≧Ｔ＞Ｔｂ”の条件では（ステップ１０３のＹＥＳ）、上記検出された温度変化量（ΔＴ／Δｔ）が“（ΔＴ／Δｔ）≧０”の条件を満たすかどうか判定される（ステップ１０７）。
【００３０】
“（ΔＴ／Δｔ）≧０”の条件を満たしていれば（ステップ１０７のＹＥＳ）、すなわち温度変化量（ΔＴ／Δｔ）が“上昇方向の変化”または“０”であれば、その温度変化量（ΔＴ／Δｔ）と予め定められている設定値Ｑａ，Ｑｂとが比較される（ステップ１０８，１０９）。設定値Ｑａ，Ｑｂには、Ｑａ＞Ｑｂの関係がある。
【００３１】
“（ΔＴ／Δｔ）＞Ｑａ”の条件では（ステップ１０８のＹＥＳ）、トランジスタ６３のオン，オフデューティＤがΔＤａ（＜ΔＤｘ）だけ減らされて、コイル４の出力ＰがΔＰａ（＜ΔＰｘ）だけ減少される（ステップ１１０）。
【００３２】
“（ΔＴ／Δｔ）＞Ｑｂ”の条件では（ステップ１０９のＹＥＳ）、トランジスタ６３のオン，オフデューティＤがΔＤｂ（＜ΔＤａ）だけ減らされて、コイル４の出力ＰがΔＰｂ（＜ΔＰａ）だけ減少される（ステップ１１１）。
【００３３】
“（ΔＴ／Δｔ）≦Ｑｂ”の条件では（ステップ１０９のＮＯ）、トランジスタ６３のオン，オフデューティＤがΔＤｃ（＜ΔＤｂ）だけ減らされて、コイル４の出力ＰがΔＰｃ（＜ΔＰｃ）だけ減少される（ステップ１１２）。
【００３４】
このステップ１０８，１０９，１１０，１１１，１１２の処理により、加熱ローラ２の温度Ｔが下降方向に調整される。
【００３５】
一方、“（ΔＴ／Δｔ）≧０”の条件を満たしていなければ（ステップ１０７のＮＯ）、すなわち温度変化量（ΔＴ／Δｔ）が“下降方向の変化”であれば、その温度変化量（−ΔＴ／Δｔ）と設定値Ｑａ，Ｑｂとが比較される（ステップ１１３，１１４）。
【００３６】
“（−ΔＴ／Δｔ）＞Ｑａ”の条件では（ステップ１１３のＹＥＳ）、そのときのトランジスタ６３のオン，オフデューティＤがそのまま保持されて、コイル４の出力Ｐが保持される（ステップ１１５）。
【００３７】
“（−ΔＴ／Δｔ）＞Ｑｂ”の条件では（ステップ１１４のＹＥＳ）、トランジスタ６３のオン，オフデューティＤがΔＤｄ（＜ΔＤｃ）だけ減らされて、コイル４の出力ＰがΔＰｄ（＜ΔＰｃ）だけ減少される（ステップ１１６）。
【００３８】
“（−ΔＴ／Δｔ）≦Ｑｂ”の条件では（ステップ１１４のＮＯ）、トランジスタ６３のオン，オフデューティＤがΔＤｅ（＜ΔＤｄ）だけ減らされて、コイル４の出力ＰがΔＰｅ（＜ΔＰｄ）だけ減少される（ステップ１１７）。
【００３９】
このステップ１１３，１１４，１１５，１１６，１１７の処理によっても、加熱ローラ２の温度Ｔが下降方向に調整される。
【００４０】
（３）検知温度Ｔが“Ｔｂ≧Ｔ＞Ｔｃ”の条件では（ステップ１０４のＹＥＳ）、上記検出された温度変化量（ΔＴ／Δｔ）が“（ΔＴ／Δｔ）≧０”の条件を満たすかどうか判定される（ステップ１１８）。
【００４１】
“（ΔＴ／Δｔ）≧０”の条件を満たしていれば（ステップ１１８のＹＥＳ）、すなわち温度変化量（ΔＴ／Δｔ）が“上昇方向の変化”または“０”であれば、その温度変化量（ΔＴ／Δｔ）と設定値Ｑａ，Ｑｂとが比較される（ステップ１１９，１２０）。
【００４２】
“（ΔＴ／Δｔ）＞Ｑａ”の条件では（ステップ１１９のＹＥＳ）、トランジスタ６３のオン，オフデューティＤがΔＤｃだけ減らされて、コイル４の出力ＰがΔＰｃだけ減少される（ステップ１２２）。
【００４３】
“（ΔＴ／Δｔ）＞Ｑｂ”の条件では（ステップ１２０のＹＥＳ）、トランジスタ６３のオン，オフデューティＤがΔＤｄだけ減らされて、コイル４の出力ＰがΔＰｄだけ減少される（ステップ１２３）。
【００４４】
“（ΔＴ／Δｔ）≦Ｑｂ”の条件では（ステップ１２０のＮＯ、ステップ１２１のＮＯ）、トランジスタ６３のオン，オフデューティＤがΔＤｅだけ減らされて、コイル４の出力ＰがΔＰｅだけ減少される（ステップ１２４）。
【００４５】
なお、“（ΔＴ／Δｔ）＝０”の条件では（ステップ１２１のＹＥＳ）、そのときのトランジスタ６３のオン，オフデューティＤがそのまま保持されて、コイル４の出力Ｐが保持される（ステップ１２５）。
【００４６】
このステップ１１９，１２０，１２１，１２２，１２３，１２４，１２５の処理により、加熱ローラ２の温度Ｔが下降方向に調整される。
【００４７】
一方、“（ΔＴ／Δｔ）≧０”の条件を満たしていなければ（ステップ１１８のＮＯ）、すなわち温度変化量（ΔＴ／Δｔ）が“下降方向の変化”であれば、その温度変化量（−ΔＴ／Δｔ）と設定値Ｑａ，Ｑｂとが比較される（ステップ１２６，１２７）。
【００４８】
“（−ΔＴ／Δｔ）＞Ｑａ”の条件では（ステップ１２６のＹＥＳ）、トランジスタ６３のオン，オフデューティＤがΔＤｃだけ増やされて、コイル４の出力ＰがΔＰｃだけ増加される（ステップ１２８）。
【００４９】
“（−ΔＴ／Δｔ）＞Ｑｂ”の条件では（ステップ１２７のＹＥＳ）、トランジスタ６３のオン，オフデューティＤがΔＤｄだけ増やされて、コイル４の出力ＰがΔＰｄだけ増加される（ステップ１２９）。
【００５０】
“（−ΔＴ／Δｔ）≦Ｑｂ”の条件では（ステップ１２７のＮＯ）、トランジスタ６３のオン，オフデューティＤがΔＤｅだけ増やされて、コイル４の出力ＰがΔＰｅだけ増加される（ステップ１３０）。
【００５１】
このステップ１２６，１２７，１２８，１２９，１３０の処理により、今度は、加熱ローラ２の温度Ｔが上昇方向に調整される。
【００５２】
（４）検知温度Ｔが“Ｔｃ≧Ｔ＞Ｔｄ”の条件では（ステップ１０５のＹＥＳ）、上記検出された温度変化量（ΔＴ／Δｔ）が“（ΔＴ／Δｔ）≧０”の条件を満たすかどうか判定される（ステップ１３１）。
【００５３】
“（ΔＴ／Δｔ）≧０”の条件を満たしていれば（ステップ１３１のＹＥＳ）、すなわち温度変化量（ΔＴ／Δｔ）が“上昇方向の変化”または“０”であれば、その温度変化量（ΔＴ／Δｔ）と設定値Ｑａ，Ｑｂとが比較される（ステップ１３２，１３３）。
【００５４】
“（ΔＴ／Δｔ）＞Ｑａ”の条件では（ステップ１３２のＹＥＳ）、そのときのトランジスタ６３のオン，オフデューティＤがそのまま保持されて、コイル４の出力Ｐが保持される（ステップ１３４）。
【００５５】
“（ΔＴ／Δｔ）＞Ｑｂ”の条件では（ステップ１３３のＹＥＳ）、トランジスタ６３のオン，オフデューティＤがΔＤｅだけ増やされて、コイル４の出力ＰがΔＰｅだけ増加される（ステップ１３５）。
【００５６】
“（ΔＴ／Δｔ）≦Ｑｂ”の条件では（ステップ１３３のＮＯ）、トランジスタ６３のオン，オフデューティＤがΔＤｄだけ増やされて、コイル４の出力ＰがΔＰｄだけ増加される（ステップ１３６）。
【００５７】
このステップ１３２，１３３，１３４，１３５，１３６の処理により、加熱ローラ２の温度Ｔが上昇方向に調整される。
【００５８】
一方、“（ΔＴ／Δｔ）≧０”の条件を満たしていなければ（ステップ１３１のＮＯ）、すなわち温度変化量（ΔＴ／Δｔ）が“下降方向の変化”であれば、その温度変化量（−ΔＴ／Δｔ）と設定値Ｑａ，Ｑｂとが比較される（ステップ１３７，１３８）。
【００５９】
“（−ΔＴ／Δｔ）＞Ｑａ”の条件では（ステップ１３７のＹＥＳ）、トランジスタ６３のオン，オフデューティＤがΔＤａだけ増やされて、コイル４の出力ＰがΔＰａだけ増加される（ステップ１３９）。
【００６０】
“（−ΔＴ／Δｔ）＞Ｑｂ”の条件では（ステップ１３８のＹＥＳ）、トランジスタ６３のオン，オフデューティＤがΔＤｂだけ増やされて、コイル４の出力ＰがΔＰｂだけ増加される（ステップ１４０）。
【００６１】
“（−ΔＴ／Δｔ）≦Ｑｂ”の条件では（ステップ１３８のＮＯ）、トランジスタ６３のオン，オフデューティＤがΔＤｃだけ増やされて、コイル４の出力ＰがΔＰｃだけ増加される（ステップ１４１）。
【００６２】
このステップ１３７，１３８，１３９，１４０，１４１の処理によっても、加熱ローラ２の温度Ｔが上昇方向に調整される。
【００６３】
（５）検知温度Ｔが低くて、“Ｔｄ≧Ｔ”の条件では（ステップ１０５のＮＯ）、トランジスタ６３のオン，オフデューティＤがΔＤｘだけ増やされて、コイル４の出力ＰがΔＰｘだけ増加される（ステップ１４２）。この出力増加により、加熱ローラ２の温度が上昇方向に変化する。
【００６４】
以上のように、加熱ローラ２の温度Ｔがサーミスタ１０で検知され、その検知温度Ｔの単位時間ｔ当たりの変化量（ΔＴ／Δｔ）が検出される。そして、コイル４の出力が、サーミスタ１０の検知温度Ｔが予め定められている設定範囲“Ｔｂ≧Ｔ＞Ｔｃ”に収まるように、かつ上記検出された温度変化量（ΔＴ／Δｔ）に対応する量だけ、増減される。
【００６５】
したがって、図４に示しているように、加熱ローラ２の温度Ｔを定着に必要な温度に安定して維持することができて、定着に関する信頼性が向上する。
【００６６】
しかも、商用交流電源７０から当該装置への入力電圧の変動を解消することができるので、同じ商用交流電源７０を使用している他の機器たとえば照明器具の点灯光に“ちらつき”が発生しない。
【００６７】
なお、加熱部材として加熱ローラ２を用いたが、加熱ローラ２に代えて、発熱体としての導体を含む無端状のベルトを用いてもよい。
【００６８】
その他、この発明は、上記実施形態そのままに限定されるものではなく、実施段階ではその要旨を逸脱しない範囲で構成要素を変形して具体化できる。また、上記実施形態に開示されている複数の構成要素の適宜な組み合わせにより種々の発明を形成できる。例えば、実施形態に示される全構成要素から幾つかの構成要素を削除してもよい。
【図面の簡単な説明】
【００６９】
【図１】一実施形態の内部の構成を示す図。
【図２】一実施形態に係る電子複写機の制御回路を示すブロック図。
【図３】一実施形態の電気回路のブロック図。
【図４】一実施形態における加熱ローラの温度、コイルの出力、入力電圧の関係を示す図。
【図５】一実施形態の作用を説明するためのフローチャート。
【図６】ＦＩＧ．５に続くフローチャート。
【図７】ＦＩＧ．５およびＦＩＧ．６に続くフローチャート。
【符号の説明】
【００７０】
１…定着装置、２…加熱ローラ（加熱部材）、３…加圧ローラ（加圧部材）、４…コイル、５…コア、１０…サーミスタ（温度検知器）、２０…ペーパーシート、３０…メインコントローラ、３１…コントロールパネルコントローラ、３２…スキャンコントローラ、４０…プリントコントローラ、５０…駆動ユニット、６０…高周波発生回路、８０…コントローラ、８１…発振器
【図１】
2005266807.tif 000003
【図２】
2005266807.tif 000004
【図３】
2005266807.tif 000005
【図４】
2005266807.tif 000006
【図５】
2005266807.tif 000007
【図６】
2005266807.tif 000008
【図７】
2005266807.tif 000009